(57)【特許請求の範囲】
【請求項１】
一個の発光ユニット（２）、一個の電圧制御ユニット（３）および一個の電流制御ユニット（４）を有する灯具において、発光ユニット（２）は直流電力と直結するのに用いられ、電圧制御ユニット（３）には一個の電力入力端末（３１）、一個の電力出力端末（３２）、一個の導通スイッチ（３３）、一個のイネーブル素子（３４）と一個の電圧設定素子（３５）が含まれ、電力入力端末（３１）は発光ユニット（２）と接続し、導通スイッチ（３３）には一個の入力端（３３１）、一個の出力端（３３２）と一個の制御端（３３３）が含まれ、入力端（３３１）は電力入力端末（３１）と接続し、出力端（３３２）は電力出力端末（３２）と接続し、電圧設定素子（３５）には一個の導通閾電位が含まれ、電圧設定素子（３５）は電力出力端末（３１）の電圧が上記導通閾電位より小さくまたは同じになるように制御し、電圧設定素子（３５）は制御端（３３３）と接地端子の間に直結され、イネーブル素子（３４）は入力端（３３１）と制御端（３３３）の間に直結され、電流制御ユニット（４）には一個の定電圧制御素子（４１）と一個の電流制御素子（４２）が含まれ、定電圧制御素子（４１）は電圧制御ユニット（３）の電力出力端末（３２）と接続するとともに、固定レベルを有する直流電圧を生じさせ、電流制御素子（４２）は定電圧制御素子（４１）と上記接地端子の間に直結されることにより、電流制御素子（４２）を通過する電流は恒常的な電流値を有するように維持することを特徴とする灯具。
【請求項２】
導通スイッチ（３３）は一個のＮＭＯＳ電界効果トランジスタからなり、そして入力端（３３１）、出力端（３３２）と制御端（３３３）は当該順序に従って上記ＮＭＯＳ電界効果トランジスタのドレイン、ソースとゲートであることを特徴とする請求項１に記載の灯具。
【請求項３】
イネーブル素子（３４）は一個の抵抗器からなることを特徴とする請求項１に記載の灯具。
【請求項４】
電圧設定素子（３５）は一個のツェナーダイオードからなることを特徴とする請求項１に記載の灯具。
【請求項５】
定電圧制御素子（４１）は一個のバイポーラ接合トランジスタからなり、そしてバイポーラ接合トランジスタのベースは電力出力端末（３２）と電流制御素子（４２）に接続することを特徴とする請求項１に記載の灯具。
【請求項６】
定電圧制御素子（４１）は一個の定電圧ＩＣからなることを特徴とする請求項１に記載の灯具。
【請求項７】
電流制御素子（４２）は一個の抵抗器からなることを特徴とする請求項１に記載の灯具。
【請求項８】
他に一個のろ波ユニット（５）が含まれ、そして発光ユニット（２）には一個の陽極（２１）と一個の陰極（２２）が含まれ、陽極（２１）は上記直流電力と直結するのに用いられ、陰極（２２）は電圧制御ユニット（３）の電力入力端末（３１）に接続し、ろ波ユニット（５）は発光ユニット（２）の陽極（２１）と接地端子の間に接続されることを特徴とする請求項１に記載の灯具。
【請求項９】
他にもう一個のろ波ユニット（５）が含まれ、ろ波ユニット（５）は発光ユニット（２）と並列に接続されることを特徴とする請求項１に記載の灯具。
【請求項１０】
他に一個の電力受取ユニット（１）が含まれ、電力受取ユニット（１）には一個の交流側（１１）と一個の直流側（１２）が含まれ、交流側（１１）は一個の交流電源（８）まで接続するのに用いられ、直流側（１２）は発光ユニット（２）まで接続するのに用いられ、電力受取ユニット（１）は交流側（１１）が受取りした交流電力を整流して直流電力を生じさせ、そして直流側（１２）から出力することを特徴とする請求項１に記載の灯具。
【請求項１１】
一個の電圧制御ユニット（３）および一個の電流制御ユニット（４）を有する灯具の電源制御回路において、電圧制御ユニット（３）には一個の電力入力端末（３１）、一個の電力出力端末（３２）、一個の導通スイッチ（３３）、一個のイネーブル素子（３４）と一個の電圧設定素子（３５）が含まれ、電力入力端末（３１）は一個の直流電力と直結するのに用いられ、導通スイッチ（３３）には一個の入力端（３３１）、一個の出力端（３３２）と一個の制御端（３３３）が含まれ、入力端（３３１）は電力入力端末（３１）と接続し、出力端（３３２）は電力出力端末（３２）と接続し、電圧設定素子（３５）には一個の導通閾電位が含まれ、電圧設定素子（３５）は電力出力端末（３１）の電圧が上記導通閾電位より小さくまたは同じになるように制御し、電圧設定素子（３５）は制御端（３３３）と接地端子の間に直結され、イネーブル素子（３４）は入力端（３３１）と制御端（３３３）の間または一個の直流電圧源と制御端（３３３）の間に直結され、電流制御ユニット（４）には一個の定電圧制御素子（４１）と一個の電流制御素子（４２）が含まれ、定電圧制御素子（４１）は電圧制御ユニット（３）の電力出力端末（３２）と接続するとともに、固定レベルを有する直流電圧を生じさせ、電流制御素子（４２）は定電圧制御素子（４１）と上記接地端子の間に直結されることにより、電流制御素子（４２）を通過する電流は恒常的な電流値を有するように維持することを特徴とする灯具の電源制御回路。
【請求項１２】
導通スイッチ（３３）は一個のＮＭＯＳ電界効果トランジスタからなり、そして入力端（３３１）、出力端（３３２）と制御端（３３３）は順序に従って上記ＮＭＯＳ電界効果トランジスタのドレイン、ソースとゲートであることを特徴とする請求項１１に記載の灯具の電源制御回路。
【請求項１３】
イネーブル素子（３４）は一個の抵抗器からなることを特徴とする請求項１１に記載の灯具の電源制御回路。
【請求項１４】
電圧設定素子（３５）は一個のツェナーダイオードからなることを特徴とする請求項１１に記載の灯具の電源制御回路。
【請求項１５】
定電圧制御素子（４１）は一個のバイポーラ接合トランジスタからなり、そしてバイポーラ接合トランジスタのベースは電力出力端末（３２）と電流制御素子（４２）に接続することを特徴とする請求項１１に記載の灯具の電源制御回路。
【請求項１６】
定電圧制御素子（４１）は一個の定電圧ＩＣからなることを特徴とする請求項１１に記載の灯具の電源制御回路。
【請求項１７】
電流制御素子（４２）は一個の抵抗器からなることを特徴とする請求項１１に記載の灯具の電源制御回路。
【発明の詳細な説明】
【技術分野】
【０００１】
本発明は、灯具およびその電源制御回路に関するもので、特に各種の電圧レベルの電源の供給に適用することができる灯具およびその電源制御回路に係わるものである。
【背景技術】
【０００２】
従来の灯具およびその電源制御回路としては、例えばアメリカ特許第７，５８３，０３５号に掲示されたものがある。そして図５に示す従来の灯具の回路図を参照すると、従来の灯具には一個の電力受取ユニット９１、一個の発光ユニット９２、一個の電流制御ユニット９３および一個のろ波ユニット９４が含まれる。その内に、電力受取ユニット９１、発光ユニット９２と電流制御ユニット９３は順序に従って一個の電源８によって一個の接地端子まで直結される。詳しく言えば、電力受取ユニット９１は一個の交流／直流の電力変換器からなり、電力受取ユニット９１によって電源８から提供される交流電力を交流／直流の電力転換に行うようにし、そして発光ユニット９２まで転送する。発光ユニット９２は複数個の直結の発光ダイオードからなる。電流制御ユニット９３は発光ユニット９２を通過する電流を制御するのに用いられることにより、それぞれの発光ダイオードの正常な作動を維持する。電流制御ユニット９３は一個の定電流ＩＣからなる。ろ波ユニット９４の一端は電力受取ユニット９１と発光ユニット９２の間の直結点に接続される。ろ波ユニット９４のもう一端は接地端子に接続されるようにとしたものがある。
【０００３】
そして、電源８が交流電力を供給することによって従来の灯具を作動させる時、電力受取ユニット９１は交流電力を一個の直流電力に転換させた後、発光ユニット９２まで伝送される。さらに、電流制御ユニット９３によって上記直流電力の電流レベルを制御して安定させることにより、発光ユニット９２を通過する直流電力を恒常的に維持する。その他に、ろ波ユニット９４によって上記直流電力の中のインパルスをろ過して除去することにより、高圧のインパルスが発光ユニット９２を通過して発光ダイオードを破壊してしまうのを避けることができるため、発光ユニット９２に入力する動作電流は安定した電圧値を有するように維持することができる。
【先行技術文献】
【特許文献】
【０００４】
【特許文献１】アメリカ特許第７，５８３，０３５号明細書
【発明の概要】
【発明が解決しようとする課題】
【０００５】
上記のような図５に掲示される従来の灯具およびその電源制御回路においては、一般的に次のような問題点を有している。従来の灯具およびその電源制御回路を実際に使用すると、従来の灯具は電流制御ユニット９３によって発光ユニット９２を通過する動作電流の電圧レベルを維持するため、上記従来の灯具を電流制御ユニット９３の耐電圧性を超過した電源８に結合して作動させることができない。しかし、仮に電流制御ユニット９３の耐電圧性を高めようとする場合、高い耐電圧性を有する定電流ＩＣを使用して電流制御ユニット９３としなければならないため、従来の灯具ではその製造コストは大幅に増やされるという問題点があった。このように、上記のような従来の灯具およびその電源制御回路をさらに改良しなければならない。
【０００６】
本発明はこのような問題点に鑑みて発明されたものであって、その主な目的とするところは、各種の異なる供給電源の電圧レベルに適合し、そして一個の発光ユニットを通過する電流が恒常的になるように維持することにより、灯具の適用電圧の自由度を高めるとともに、灯具の作動の効果を維持することができる灯具およびその電源制御回路を提供する。
【０００７】
本発明の第二の目的は、一個の電圧制御ユニットによって一個の電流制御ユニットに入力する電圧を制御することにより、低単価の低耐電圧性の素子で電流制御ユニットを構成することができるため、製造コストを低く抑えることができる灯具およびその電源制御回路を提供する。
【課題を解決するための手段】
【０００８】
上記の目的を達成するために、本発明による灯具は、一個の発光ユニット、一個の電圧制御ユニットおよび一個の電流制御ユニットを有する。発光ユニットは直流電力と直結するのに用いられる。電圧制御ユニットには一個の電力入力端末、一個の電力出力端末、一個の導通スイッチ、一個のイネーブル素子と一個の電圧設定素子が含まれる。電力入力端末は発光ユニットと接続する。導通スイッチには一個の入力端、一個の出力端と一個の制御端が含まれる。入力端は電力入力端末と接続し、出力端は電力出力端末と接続する。電圧設定素子には一個の導通閾電位が含まれ、電圧設定素子は電力出力端末の電圧が導通閾電位より小さくまたは同じになるように制御する。電圧設定素子は制御端（３３３）と接地端子の間に直結され、イネーブル素子は入力端と制御端の間に直結される。電流制御ユニットには一個の定電圧制御素子と一個の電流制御素子が含まれる。定電圧制御素子は電圧制御ユニットの電力出力端末と接続するとともに、固定レベルを有する直流電圧を生じさせ、電流制御素子は定電圧制御素子と上記の接地端子の間に直結されることにより、電流制御素子を通過する電流は恒常的な電流値を有するように維持する。
【０００９】
また、導通スイッチは一個のＮＭＯＳ電界効果トランジスタからなり、そして入力端、出力端と制御端は順序に従ってＮＭＯＳ電界効果トランジスタのドレイン、ソースとゲートであることもできる。また、イネーブル素子は一個の抵抗器からなることもできる。また、電圧設定素子は一個のツェナーダイオードからなることもできる。また、定電圧制御素子は一個のバイポーラ接合トランジスタからなり、そしてバイポーラ接合トランジスタのベースは電力出力端末と電流制御素子に接続することもできる。また、定電圧制御素子は一個の定電圧ＩＣからなることもできる。また、電流制御素子は一個の抵抗器からなることもできる。また、他に一個のろ波ユニットが含まれ、そして発光ユニットには一個の陽極と一個の陰極が含まれ、陽極は直流電力と直結するのに用いられ、陰極は電圧制御ユニットの電力入力端末に接続し、ろ波ユニットは発光ユニットの陽極と接地端子の間に接続されることもできる。また、他にもう一個のろ波ユニットが含まれ、ろ波ユニットは発光ユニットと並列に接続されることもできる。また、他に一個の電力受取ユニットが含まれ、電力受取ユニットには一個の交流側と一個の直流側が含まれ、交流側は一個の交流電源まで接続するのに用いられ、直流側は発光ユニットまで接続するのに用いられ、電力受取ユニットは交流側が受取りした交流電力を整流して直流電力を生じさせ、そして直流側から出力することもできる。
【００１０】
また、本発明による灯具の電源制御回路は、一個の電圧制御ユニットおよび一個の電流制御ユニットを有する。電圧制御ユニットには一個の電力入力端末、一個の電力出力端末、一個の導通スイッチ、一個のイネーブル素子と一個の電圧設定素子が含まれ、電力入力端末は一個の直流電力と直結するのに用いられる。導通スイッチには一個の入力端、一個の出力端と一個の制御端が含まれ、入力端は電力入力端末と接続し、出力端は電力出力端末と接続する。電圧設定素子には一個の導通閾電位が含まれ、電圧設定素子は電力出力端末の電圧が導通閾電位より小さくまたは同じになるように制御する。電圧設定素子は制御端と接地端子の間に直結され、イネーブル素子は入力端と制御端の間または一個の直流電圧源と制御端（３３３）の間に直結される。電流制御ユニットには一個の定電圧制御素子と一個の電流制御素子が含まれ、定電圧制御素子は電圧制御ユニットの電力出力端末と接続するとともに、固定レベルを有する直流電圧を生じさせ、電流制御素子は定電圧制御素子と上記の接地端子の間に直結されることにより、電流制御素子を通過する電流は恒常的な電流値を有するように維持することもできる。
【００１１】
また、導通スイッチは一個のＮＭＯＳ電界効果トランジスタからなり、そして入力端、出力端と制御端は順序に従ってＮＭＯＳ電界効果トランジスタのドレイン、ソースとゲートであることもできる。また、イネーブル素子は一個の抵抗器からなることもできる。また、電圧設定素子は一個のツェナーダイオードからなることもできる。また、定電圧制御素子は一個のバイポーラ接合トランジスタからなり、そしてバイポーラ接合トランジスタのベースは電力出力端末と電流制御素子に接続することもできる。また、定電圧制御素子は一個の定電圧ＩＣからなることもできる。また、電流制御素子は一個の抵抗器からなることもできる。
【発明の効果】
【００１２】
本発明の灯具およびその電源制御回路によれば、各種の異なる供給電源の電圧レベルに適合し、そして一個の発光ユニットを通過する電流が恒常的になるように維持することにより、灯具の適用電圧の自由度を高めるとともに、灯具の作動の効果を維持することができるという利点がある。
【００１３】
本発明の灯具およびその電源制御回路によれば、一個の電圧制御ユニットによって一個の電流制御ユニットに入力する電圧を制御することにより、低単価の低耐電圧性の素子で電流制御ユニットを構成することができるため、製造コストを低く抑えることができるという利点がある。
【図面の簡単な説明】
【００１４】
【図１】図１は、本発明の実施例１の灯具およびその電源制御回路のシステム構築図である。
【図２】図２は、本発明の実施例１の灯具およびその電源制御回路の回路図である。
【図３】図３は、本発明の実施例１の灯具およびその電源制御回路のもう一つの実施方式の回路図である。
【図４】図４は、本発明の実施例２の灯具およびその電源制御回路のシステム構築図である。
【図５】図５は、従来の灯具の回路図である。
【発明を実施するための形態】
【００１５】
本発明の実施の形態について、以下、図面を参照して説明する。
【実施例１】
【００１６】
図１は本発明の実施例１の灯具およびその電源制御回路のシステム構築図である。図１を参照すると、灯具には一個の電力受取ユニット１、一個の発光ユニット２、一個の電圧制御ユニット３、一個の電流制御ユニット４および一個のろ波ユニット５が含まれる。その内に、電力受取ユニット１、発光ユニット２、電圧制御ユニット３と電流制御ユニット４は順序に従って直列に接続するように形成され、ろ波ユニット５は発光ユニット２、電圧制御ユニット３と電流制御ユニット４によって構成される直列の回路に並列に接続するように形成され、電圧制御ユニット３と電流制御ユニット４は共同で灯具の電源制御回路を構成するように形成される。言い換えれば、電力受取ユニット１と発光ユニット２は上記電源制御回路に直結される。
【００１７】
図２は本発明の実施例１の灯具およびその電源制御回路の回路図である。図２を参照すると、電力受取ユニット１には一個の交流側１１と一個の直流側１２が含まれ、交流側１１は一個の電源８と接続し、そして電源８は一個の交流電源からなることができる。直流側１２は発光ユニット２とろ波ユニット５まで接続され、その内に電力受取ユニット１は一個の交流／直流の電力変換器からなることができ、そして好ましくは一個のフルブリッジ整流器からなることにより、交流側１１は受取りされる交流電力を整流して一個の直流電力を生じさせ、そして直流側１２から出力される。
【００１８】
発光ユニット２には一個の陽極２１と一個の陰極２２がそれぞれ直流側１２および電圧制御ユニット３と接続するように形成され、そして発光ユニット２には、好ましくは少なくとも一個の発光ダイオードが含まれ、発光ユニット２は陽極２１と陰極２２の間に接続するように設置される。その内に、電源８は一個の直流電源からなる場合、電力受取ユニット１の設置を省くことができ、そして発光ユニット２の陽極２１を利用して電源８と直結することにより、電源８から供給される直流電力を直接受け取ることができる。
【００１９】
再び図２を参照すると、本発明の灯具の電源制御回路の電圧制御ユニット３には一個の電力入力端末３１、一個の電力出力端末３２、一個の導通スイッチ３３、一個のイネーブル素子３４と一個の電圧設定素子３５が含まれる。電力入力端末３１は発光ユニット２の陰極２２と接続する。電力出力端末３２は電流制御ユニット４と接続する。導通スイッチ３３には一個の入力端３３１、一個の出力端３３２と一個の制御端３３３が含まれ、入力端３３１は電力入力端末３１と接続し、出力端３３２は電力出力端末３２と接続し、そして制御端３３３は電圧設定素子３５まで接続される。
【００２０】
その内に、導通スイッチ３３は好ましくは一個のＮ型のモス電界効果トランジスタ（ＭＯＳＦＥＴ）からなり、そして入力端３３１、出力端３３２と制御端３３３は順序に従ってＮＭＯＳ電界効果トランジスタのドレイン（drain）、ソース（source）とゲート（gate）である。イネーブル素子３４は入力端３３１と制御端３３３の間に直結されたり、または発光ユニット２の陽極２１と制御端３３３の間に直結されたりする（言い換えれば、すなわち直流側１２によって構成される直流電圧源に接続される）ことにより、導通スイッチ３３は直流電力が電圧制御ユニット３に入力される時に正常に作動することができる。
【００２１】
そして仮に導通スイッチ３３がＮＭＯＳ電界効果トランジスタからなる場合、イネーブル素子３４は一個の抵抗器からなることができるため、ＮＭＯＳ電界効果トランジスタは活動領域（active region）で作動するように形成される。電圧設定素子３５には一個の導通閾電位が含まれ、そして電圧設定素子３５は制御端３３３と一個の接地端子の間に直結される。電圧設定素子３５は制御端３３３と接地端子の電位差が導通閾電位より高くまたは同じになるようにのみ、一個の導通の状態が形成され、そして制御端３３３の電位が導通閾電位になるように維持することができ、そうでなければ、一個のオフ状態が形成される。その内に、電圧設定素子３５は好ましくは一個のツェナーダイオード（Zener diode）からなる。
【００２２】
図３は本発明の実施例１の灯具およびその電源制御回路のもう一つの実施方式の回路図である。電源制御回路の電流制御ユニット４はそのものの導通電流の電子回路の構築を制御するのに用いられる。しかし、電流制御ユニット４は図３に示される定電圧ＩＣからなることができる。下記において、電流制御ユニット４の実施方式の構築を詳しく説明する。図２、３を参照すると、電流制御ユニット４には一個の定電圧制御素子４１と一個の電流制御素子４２が含まれる。
【００２３】
定電圧制御素子４１は電圧制御ユニット３の電力出力端末３２と接続し、そして電圧制御ユニット３が出力する直流電力によって固定レベルを有する直流電圧を生じさせる。電流制御素子４２は一個の抵抗値を有し、そして定電圧制御素子４１と一個の接地端子の間に直結されることにより、電流制御素子４２から生じる直流電圧を受取りし、さらに抵抗値によって電流制御素子４２を通過する電流は一個の恒常的な電流値を有するように維持することができる。その内に、電流制御素子４２は好ましくは一個の抵抗器からなり、そしてその抵抗値を調整することによって恒常的な電流値の大きさを変えることができる。
【００２４】
さらに詳しく言えば、図２に示すように、電流制御ユニット４は一個の電子回路からなり、定電圧制御素子４１は一個のトランジスタからなることができ、そして好ましくは一個のｎｐｎ型のバイポーラ接合トランジスタ（bipolar junction transistor、ＢＪＴ）からなり、その内にＢＪＴトランジスタのベース（base）はすなわち電力出力端末３２および電流制御素子４２と接続し、そして電流制御素子４２の抵抗値はＢＪＴトランジスタのベース−エミッタの電圧差である。その他に、図３に示すように、定電圧制御素子４１は一個の定電圧ＩＣからなる場合、定電圧ＩＣによって電圧制御ユニット３の直流電圧をさらに安定した直流電力に変換した後、再び電流制御素子４２まで伝送される。その内に、定電圧制御素子４１は一個の電子回路からなる場合、比較的低い製造コストを維持することができる。さらに仮に定電圧制御素子４１が一個の定電圧ＩＣからなる場合、比較的良好な電流安定度を提供することができる。
【００２５】
再び図２を参照すると、ろ波ユニット５は発光ユニット２の陽極２１と接地端子の間に接続されることにより、電力受取ユニット１の直流電力の中のインパルスをろ過して除去することができる。その内に、ろ波ユニット５は一個の力率コンデンサーからなることができる。
【００２６】
．
本発明の実施例１の灯具が作動する時、発光ユニット２は電力受取ユニット１から生じ、そしてろ波ユニット５を経てろ波される直流電力を受け取る。その他に、電圧設定素子３５の導通閾電位を利用して電流制御ユニット４に加える電圧が導通閾電位より低くなるのを維持することができるだけではなく、さらに発光ユニット２、電圧制御ユニット３と電流制御ユニット４は直列に接続するように形成されることにより、電流制御ユニット４を流通する電流制御素子４２の電流が恒常的な電流値を有する場合、発光ユニット２を通過した電流も恒常的な電流値を有するように形成される。そのため、本発明の灯具では発光ユニット２に入力する電力が安定した電流を有するように維持することができるとともに、比較的高い電圧レベルを有する直流電力を加える場合、依然として電流制御ユニット４のクロス圧力が電圧設定素子３５の導通閾電位より低くまたは同じになるように維持することができる。
【００２７】
これにより、本発明の実施例１の灯具では各種の異なる電圧レベルの直流または交流の電力によって駆動を行うのに役立つことができ、そして特別に高い耐電圧性を有する電子素子（例えば高耐電圧の定電圧ＩＣ）を使用することなく、一般的な耐電圧性または低い耐電圧性を有する電子素子を電流制御ユニット４の定電圧制御素子４１として選択することができるため、適用する電圧の自由度を高めることができるとともに、比較的低い製造コストを維持することができる。
【実施例２】
【００２８】
図４は本発明の実施例２の灯具およびその電源制御回路のシステム構築図である。図４を参照すると、実施例２と上述した実施例１との主な差異は、主にろ波ユニット５は接地端子と接続しておらず、そしてろ波ユニット５と発光ユニット２は並列に接続するように形成される。これにより、ろ波ユニット５によって発光ユニット２はインパルスの影響を受けないことを確保することができるとともに、本発明の灯具の力率（power factor）をさらに高めることができるため、本発明の灯具は７５％から９０％までの高い力率を獲得することができる。
【００２９】
上述の如く、本発明の灯具によれば、直列に接続する発光ユニット２の電源制御回路（すなわち電圧制御ユニット３と電流制御ユニット４）の設置によって、灯具に入力する直流電力の電流を制御することができるとともに、適用する電圧の自由度を増やすことができるため、本発明の灯具は低単価の低耐電圧性の素子だけで大きい耐電圧の範囲を獲得することができる。
【００３０】
これにより、本発明の灯具は各種の異なる電源供給の電圧レベルに適用することができるとともに、発光ユニット２を通過する電流が恒常的になるように維持することができるため、灯具の適用する電圧の自由度を高めることができ、さらに灯具の作動の功能を維持することができる。
【００３１】
他に、本発明の灯具によれば、電圧制御ユニット３を利用して電流制御ユニット４に入力する電圧を制御することにより、低単価の低耐電圧性の素子で電流制御ユニット４を構成することができるため、製造コストを低く抑えることができる。
【００３２】
本発明は、その精神とび必須の特徴事項から逸脱することなく他のやり方で実施することができる。従って、本明細書に記載した好ましい実施例は例示のなものであり、限定のなものではない。
【符号の説明】
【００３３】
１    電力受取ユニット
１１    交流側
１２    直流側
２    発光ユニット
２１    陽極
２２    陰極
３    電圧制御ユニット
３１    電力入力端末
３２    電力出力端末
３３    導通スイッチ
３３１    入力端
３３２    出力端
３３３    制御端
３４    イネーブル素子
３５    電圧設定素子
４    電流制御ユニット
４１    定電圧制御素子
４２    電流制御素子
５    ろ波ユニット
８    電源
９１    電力受取ユニット
９２    発光ユニット
９３    電流制御ユニット
９４    ろ波ユニット
【図１】
0005285744.tif 000002
【図２】
0005285744.tif 000003
【図３】
0005285744.tif 000004
【図４】
0005285744.tif 000005
【図５】
0005285744.tif 000006